(57)【要約】      （修正有）【課題】着心地がよく、胸の形を綺麗に維持することができるブラ付きインナーを提供する。【解決手段】ブラ付きインナーは、本体及びブラを有し、本体１０は、弾力性及び通気性に優れた生地からなり、前半部１１及び後半部１２の両側縁部が対応するように縫合され、前半部と後半部の間に着用空間が形成され、ブラは、本体の着用空間に位置し、前半部に縫合される一対のカップ２１と、一端がカップの上縁部に取り付けられ、他端が本体に縫合される一対の調整ひも２２と、カップの下側に設けられ、弾力性がない生地からなる胸支持部２３と、胸支持部の両側に設けられ、胸支持部と反対する側の縁部が本体に縫合される一対の脇支持部２４とを備える。【選択図】図２
0003188518.tif 000002
【実用新案登録請求の範囲】
【請求項１】
両側縁部が対応するように縫合される前半部及び後半部と、該前半部と後半部の間に形成される着用空間とを備えると共に、弾力性及び通気性に優れた生地からなる本体と、
前記前半部に縫合される一対のカップと、一端がカップの上縁部に取り付けられ、他端が本体に縫合される一対の調整ひもと、該カップの下側に設けられ、弾力性がない生地からなる胸支持部と、該胸支持部の両側に設けられ、該胸支持部と反対する側の縁部が本体に縫合される一対の脇支持部とを備えると共に、前記本体の着用空間に位置するブラと、を有することを特徴とするブラ付きインナー。
【請求項２】
前記脇支持部は、弾力性及び伸縮性を備える生地からなり、胸支持部と反対する側の縁部が前半部と後半部とを縫合した箇所に縫合されることを特徴とする請求項１に記載のブラ付きインナー。
【請求項３】
前記胸支持部における脇支持部近傍に少なくとも１本の滑り止めテープが設置されることを特徴とする請求項２に記載のブラ付きインナー。
【請求項４】
前記前半部における腹部と対応する箇所に高弾力性層が縫合されることを特徴とする請求項３に記載のブラ付きインナー。
【請求項５】
前記本体は、タンクトップであり、さらに、一対の肩部を備え、該一対の肩部はそれぞれ、前半部及び後半部の上縁両側を繋がるように設けられることを特徴とする請求項１乃至４の何れか１項に記載のブラ付きインナー。
【請求項６】
前記調整ひもは、調整段及び連結段を備え、該調整段は、一端がリュックカンに固定され、他端がカップの上縁部に取り付けた角カンを通してリュックカンに折り返され、該連結段は、リュックカンに折り返された調整段の他端から延出し、末端が肩部に縫合されることを特徴とする請求項５に記載のブラ付きインナー。
【請求項７】
前記本体がキャミソールであることを特徴とする請求項１乃至４の何れか１項に記載のブラ付きインナー。
【請求項８】
前記調整ひもは、調整段及び連結段を備え、該調整段は、一端がリュックカンに固定され、他端がカップの上縁部に取り付けた角カンを通してリュックカンに折り返され、該連結段は、リュックカンに折り返された調整段の他端から延出し、末端が後半部の上縁部に縫合されることを特徴とする請求項７に記載のブラ付きインナー。
【請求項９】
前記ブラの調整ひもは、一端が前半部の一側上縁部に縫合され、他端が前半部の他側上縁部に着脱可能に取り付けられる首ひもであることを特徴とする請求項７に記載のブラ付きインナー。
【請求項１０】
前記本体及びブラが伸縮性及び弾力性を備える材質からなる水着であることを特徴とする請求項１乃至４の何れか１項に記載のブラ付きインナー。
【考案の詳細な説明】
【技術分野】
【０００１】
本考案は、特に下着にブラジャーが縫合されるブラ付きインナーに関するものである。
【背景技術】
【０００２】
Ｔシャツは、生地が柔らかくて着心地がよいので、近代には女性にも大人気である。一般に、女性がＴシャツを着ている時に、乳房を支えて胸の形状を綺麗にするために、下着のブラジャーを着ることが必要である。しかしながら、ブラジャーとＴシャツとは、それぞれ異なる材質からなり、別々な衣類なので、着心地が違っており、また、夏の時に、汗を欠くと、Ｔシャツが汗でブラジャーに貼り付けて不快感が出て来るという問題があった。
【０００３】
上述したＴシャツ及びブラジャーの着心地がそれぞれ違っているという欠点を解決するために、図８に示すように、既存の改良式パット付きインナー６０が開発された。このパット付きインナー６０は、前側内面に胸部と対応する箇所に一対のポケット６１が設けられ、そのポケット６１にパット６２が取り付けられ、インナーの材質が柔らかくて着心地がよいと共に、そのパットにより乳首を透けることも防止できる。
【考案の概要】
【考案が解決しようとする課題】
【０００４】
しかしながら、既存の改良式パット付きインナーは、生地が柔らかくて着心地がよいが、パットにより乳房を支えて中央へ寄せ上げる効果が劣り、乳房が垂れて胸の形が変形しやすくなる虞があった。
【課題を解決するための手段】
【０００５】
本考案に係るブラ付きインナーは、両側縁部が対応するように縫合される前半部及び後半部と、該前半部と後半部の間に形成される着用空間とを備えると共に、弾力性及び通気性に優れた生地からなる本体と、
前記前半部に縫合される一対のカップと、一端がカップの上縁部に取り付けられ、他端が本体に縫合される一対の調整ひもと、該カップの下側に設けられ、弾力性がない生地からなる胸支持部と、該胸支持部の両側に設けられ、該胸支持部と反対する側の縁部が本体に縫合される一対の脇支持部とを備えると共に、前記本体の着用空間に位置するブラと、を有するものである。
【０００６】
かかるブラ付きインナーにおいて、前記脇支持部は、弾力性及び伸縮性を備える生地からなり、胸支持部と反対する側の縁部が前半部と後半部とを縫合した箇所に縫合されることが好ましい。
【０００７】
かかるブラ付きインナーにおいて、前記胸支持部における脇支持部近傍に少なくとも１本の滑り止めテープが設置されることが好ましい。
【０００８】
かかるブラ付きインナーにおいて、前記前半部における腹部と対応する箇所に高弾力性層が縫合されることが好ましい。
【０００９】
かかるブラ付きインナーにおいて、前記本体は、タンクトップであり、さらに、一対の肩部を備え、該一対の肩部はそれぞれ、前半部及び後半部の上縁両側を繋がるように設けられることが好ましい。
【００１０】
かかるブラ付きインナーにおいて、前記調整ひもは、調整段及び連結段を備え、該調整段は、一端がリュックカンに固定され、他端がカップの上縁部に取り付けた角カンを通してリュックカンに折り返され、該連結段は、リュックカンに折り返された調整段の他端から延出し、末端が肩部に縫合されることが好ましい。
【００１１】
かかるブラ付きインナーにおいて、前記本体がキャミソールであってもよい。
【００１２】
かかるブラ付きインナーにおいて、前記調整ひもは、調整段及び連結段を備え、該調整段は、一端がリュックカンに固定され、他端がカップの上縁部に取り付けた角カンを通してリュックカンに折り返され、該連結段は、リュックカンに折り返された調整段の他端から延出し、末端が後半部の上縁部に縫合されることが好ましい。
【００１３】
かかるブラ付きインナーにおいて、前記ブラの調整ひもは、一端が前半部の一側上縁部に縫合され、他端が前半部の他側上縁部に着脱可能に取り付けられる首ひもであることが好ましい。
【００１４】
かかるブラ付きインナーにおいて、前記本体及びブラが伸縮性及び弾力性を備える材質からなる水着であってもよい。
【考案の効果】
【００１５】
上述した構造を有すれば、使用者が本考案のブラ付きインナーを着る時、インナー本体が柔らかくて着心地がよいと共に、インナー本体の前半部及び後半部が使用者の胸部及び腹部にピッタリと付けて、カップにより乳房をカバーしながら、胸支持部により乳房を支えることもできる。また、調整ひもが伸縮自在であることから、カープの位置を調整して乳房を適当に位置決め、さらに、本体上の脇支持部及び滑り止めテープにより乳房を脇から中央へ寄せ上げ、胸の形を綺麗に維持することができる。
【００１６】
一方、本考案のブラ付きインナーは、タンクトップであってもよく、キャミソールであってもよく、首ひも型のキャミソールであってもよく、水着であってもよいことから、消費者の好みによって自由に選択することができる。
【図面の簡単な説明】
【００１７】
【図１】本考案に係るブラ付きインナーにおける第一実施例の斜視図である。
【図２】本考案に係るブラ付きインナーにおける第一実施例の部分断面図である。
【図３】本考案に係るブラ付きインナーにおける第一実施例の後方視部分拡大平面図である。
【図４】本考案に係るブラ付きインナーにおける第二実施例の斜視図である。
【図５】本考案に係るブラ付きインナーにおける第二実施例の部分断面図である。
【図６】本考案に係るブラ付きインナーにおける第三実施例の斜視図である。
【図７】本考案に係るブラ付きインナーにおける第四実施例の斜視図である。
【図８】既存の改良式パット付きインナーを着ている状態を示す説明図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１乃至図３に示すように、本考案に係るブラ付きインナーは、本体１０及びブラ２０を有し、該本体１０は、弾力性及び通気性に優れた生地からなり、タンクトップであり、前半部１１と、後半部１２と、一対の肩部１３とを備え、その内、該前半部１１及び後半部１２は、両側縁部が対応するように縫合され、該肩部１３は、前半部１１及び後半部１２を繋がるように、前半部１１及び後半部１２の上縁両側に一体に形成される。それによれば、本体１０の内部に、前半部１１と、後半部１２と、肩部１３との間に着用空間１４を形成する。尚、該前半部１１の中央位置における腹部と対応する箇所に高弾力性層１１１が縫合され、該高弾力性層１１１により前半部１１の厚さ及び弾力性を増加させる。
【００２０】
図２及び図３に示すように、前記ブラ２０は、ノーワイヤーブラジャーであり、本体１０の着用空間１４に位置しながら前半部１１に縫合され、一対のカップ２１と、一対の調整ひも２２と、胸支持部２３と、２つの脇支持部２４と、２本の滑り止めテープ２５を備える。該カップ２１は、前半部１１に向かって突出している椀形を呈し、該調整ひも２２は、調整段２２１及び連結段２２２を備え、該調整段２２１は、一端がリュックカン２２３に固定され、他端がカップ２１の上縁部に取り付けた角カンを通してリュックカン２２３に折り返され、長さが調整可能になり、該連結段２２２は、リュックカン２２３を通した調整段２２１の他端から延出し、末端が肩部１３に縫合される。
【００２１】
図２及び図３に示すように、前記胸支持部２３は、弾力性がない生地であり、カップ２１の下側に設けられる。該胸支持部２３は、弾力性がない生地によって、カップ２１の位置を保持し、ブラ２０を着用する時、乳房を支えることができる。前記脇支持部２４は、弾力性及び伸縮性を備える生地からなり、それぞれ胸支持部２３の両側に設けられる。該脇支持部２４の胸支持部２３と反対する側の縁部が前半部１１と後半部１２とを縫合した箇所に縫合される。前記滑り止めテープ２５は、縦方向に胸支持部２３における脇支持部２４近傍に設置され、カップ２１を位置決めて脇へ移動しないように、胸を中央へ寄せ上げる効果を提供する。
【００２２】
図１及び図２は、使用者Ａがブラ付きインナーを着ている状態を示す。その本体１０の前半部１１及び後半部１２が使用者Ａの胸部及び腹部にピッタリと付けて、ブラジャーの脇から背中へ延出するベルトみたいな効果を有する。また、本考案のブラ付きインナーを着用する時に、カップ２１が乳房をカバーしながら、胸支持部２３により乳房を支えて上向きにさせると共に、両側の脇支持部２４及び滑り止めテープ２５により乳房を脇から中央へ寄せ上げる。そして、使用者Ａが調整ひも２２を調整して乳房を適当に上げて、本体１０の生地が柔らかくて胸部が垂れることはなく、着心地がよいと共に、胸の形を綺麗に維持する。
【００２３】
図４及び図５に示すように、本考案に係るブラ付きインナーにおける第二実施例は、殆ど第一実施例と同一であるが、弾力性及び通気性に優れた生地からなるキャミソールである点において異なる。本実施例における、本体１０Ａの前半部１１Ａ及び後半部１２Ａはそれぞれ、両側縁部が対応するように縫合され、ブラ２０Ａは、前半部１１Ａと後半部１２Ａとの間に位置するように前半部１１Ａに縫合され、ブラ２０Ａの両側上縁部にそれぞれ調整ひも２２Ａが設けられ、調整ひも２２Ａの連結段２２２Ａの末端が後半部１２の上縁部に縫合される。
第二実施例において、ブラ２０Ａに調整ひも２２Ａを有すれば、本体１０Ａの肩部を設置しなくても構わなく、調整ひも２２Ａにより乳房を支える機能を提供し、暑い時、女性が肩を露出させても乳房を脇から中央へ寄せ上げる効果がある。
【００２４】
図６に示すように、本考案に係るブラ付きインナーにおける第三実施例は、殆ど第二実施例と同一であるが、首ひも式インナーである点において異なる。
本実施例における本体１０Ｂの前半部１１Ｂ及び後半部１２Ｂはそれぞれ、両側縁部が対応するように縫合され、ブラ２０Ｂの調整ひも２２Ｂは、一端が前半部１１Ｂの一側上縁部に縫合され、他端が前半部１１Ｂの他側上縁部に着脱可能に取り付けられ、首ひもである。
【００２５】
本考案に係るブラ付きインナーにおける第四実施例は、殆ど第一実施例と同一であるが、本体１０Ｃ及びブラ２０Ｃが水着である点において異なる。その本体１０Ｃ及びブラ２０Ｃは、伸縮性及び弾力性を備える水着材質からなるものであり、水泳に使用するものである。
【符号の説明】
【００２６】
１０    本体
１１    前半部
１１１  高弾力性層
１２    後半部
１３    肩部
１４    着用空間
２０Ａ  ブラ
２１    カップ
２２    調整ひも
２２１  調整段
２２２  連結段
２２３  リュックカン
２３    胸支持部
２４    脇支持部
２５    滑り止めテープ
【図１】
0003188518.tif 000003
【図２】
0003188518.tif 000004
【図３】
0003188518.tif 000005
【図４】
0003188518.tif 000006
【図５】
0003188518.tif 000007
【図６】
0003188518.tif 000008
【図７】
0003188518.tif 000009
【図８】
0003188518.tif 000010